(57)【要約】【課題】原子炉照射よりも５０倍効率的に９９Ｍｏを生成出来ることのメリットを注射剤の原料となる９９ｍＴｃの製造に十分反映させ、安価にして顧客のオンデマンド要求に適し効率的な製造を可能とする９９ｍＴｃの製造方法および装置を提案する。【解決手段】９９Ｍｏ溶液タンクと９９ｍＴｃ抽出装置とのタンデム系統が構成され、９９ｍＴｃ溶液が、９９Ｍｏ溶液タンクに複数接続された９９ｍＴｃ抽出装置の個別の９９ｍＴｃ抽出装置の９９Ｍｏから９９ｍＴｃが時間をずらして個別に抽出されることで、複数接続された９９ｍＴｃ抽出装置全体として連続して抽出され、９９ｍＴｃ溶液のオンデマンド抽出が形成されることが可能とされた。【選択図】図１
2016017934.tif 000002
【特許請求の範囲】
【請求項１】
原料Ｍｏターゲットが、９８Ｍｏを含んで形成されたペレットとされ、９８Ｍｏを含んで形成されたペレットに、中性子エネルギーが９８Ｍｏの中性子共鳴吸収帯域内になるように制御された加速器中性子源からの中性子を当該照射による中性子放射化断面積が増加する条件下で照射して、９９ｍＴｃの親核種９９Ｍｏを生成し、９９Ｍｏ溶液貯蔵手段に貯蔵し、
該９９Ｍｏ溶液貯蔵手段に複数個の９９ｍＴｃ抽出装置が接続されてタンデム系統が構成され、テクネチウム９９ｍをタンデム系統の個別の９９ｍＴｃ抽出装置ごとに設定された時間差でもって抽出し、複数の９９ｍＴｃ抽出によって装置全体として診断薬オンデマンドに対応して抽出すること
を特徴とする医療用テクネチウム９９ｍの製造方法。
【請求項２】
９８Ｍｏをターゲット核として含む天然同位体比原料Ｍｏターゲットに、加速器中性子源からの中性子を照射し、９９ｍＴｃの親核種９９Ｍｏを生成させることを含む医療用テクネチウム９９ｍの製造方法において、
１．天然同位体比原料Ｍｏターゲットを、９８Ｍｏを含んで形成されたペレットとし、
２．９８Ｍｏを含んで形成されたペレットに、中性子エネルギーを９８Ｍｏの中性子共鳴吸収帯域内になるように制御された加速器中性子源からの中性子を照射して、９９ｍＴｃの親核種９９Ｍｏを生成し、
３．照射されたペレットを溶解し、生成された親核種９９Ｍｏを精製し、
４．精製された親核種９９Ｍｏから、９９ｍＴｃを抽出することからなるステップを備え、
天然同位体比原料Ｍｏターゲットが、濃縮Ｍｏ同位体ではなく、天然同位体比の９８Ｍｏを含んで形成されたペレットとされ、天然同位体比の９８Ｍｏを含んで形成されたペレットに、中性子エネルギーが９８Ｍｏの中性子共鳴吸収帯域内になるように制御された加速器中性子源からの中性子を当該照射による中性子放射化断面積が増加する条件下で照射して、９９ｍＴｃの親核種９９Ｍｏを生成し、９９Ｍｏ溶液貯蔵手段に貯蔵し、
該９９Ｍｏ溶液貯蔵手段に複数個の９９ｍＴｃ抽出装置が接続されてタンデム系統が構成され、テクネチウム９９ｍをタンデム系統の個別の９９ｍＴｃ抽出装置ごとに設定された時間差でもって抽出し、複数の９９ｍＴｃ抽出によって装置全体として診断薬オンデマンドに対応して抽出すること
を特徴とする医療用テクネチウム９９ｍの製造方法。
【請求項３】
請求項1または２に記載された医療用テクネチウム９９ｍの製造方法において、タンデム系統が、９９Ｍｏ溶液貯蔵手段に９９ｍＴｃ抽出装置が複数個接続されたタンデム構成の９９ｍＴｃ抽出系統を備え、取得されたタンデム系統ごとの独立した９９ｍＴｃ抽出指示に基づいて医療用テクネチウム９９ｍを抽出することを特徴とする医療用テクネチウム９９ｍの製造方法。
【請求項４】
請求項1または２に記載された医療用テクネチウム９９ｍの製造方法において、９９Ｍｏ溶液手段が複数の９９Ｍｏ溶液タンクからなり、複数の９９Ｍｏ溶液タンクにおのおの９９ｍＴｃ抽出装置が接続され、テクネチウム９９ｍを個別の９９ｍＴｃ抽出装置ごとに設定された時間差でもって抽出し、複数の９９ｍＴｃ抽出によって装置全体として診断薬オンデマンドに対応して抽出することを特徴とする医療用テクネチウム９９ｍの製造方法。
【請求項５】
請求項1または２に記載された医療用テクネチウム９９ｍの製造方法において、９９Ｍｏ溶液手段が、加速器中性子源からの中性子が照射される第１のペレットに対抗し近接して配置された複数の９９Ｍｏ溶液タンクからなり、該９９Ｍｏ溶液タンクに対抗し近接して第２のペレットが配置され、第２のペレットが第１のペレットに代替され、複数の９９Ｍｏ溶液タンクにおのおの９９ｍＴｃ抽出装置が接続され、テクネチウム９９ｍを個別の９９ｍＴｃ抽出装置ごとに設定された時間差でもって抽出し、複数の９９ｍＴｃ抽出によって装置全体として診断薬オンデマンドに対応して抽出することを特徴とする医療用テクネチウム９９ｍの製造方法。
【請求項６】
原料Ｍｏターゲットが、９８Ｍｏを含んで形成されたペレットとされ、９８Ｍｏを含んで形成されたペレットに、中性子エネルギーが中性子共鳴吸収帯域内になるように制御された加速器中性子源からの中性子が当該照射による中性子放射化断面積を増加する条件下で照射されて、９９ｍＴｃの親核種９９Ｍｏが生成され、９９Ｍｏ溶液手段に貯蔵され、
該９９Ｍｏ溶液貯蔵手段に複数個の９９ｍＴｃ抽出装置が接続されてタンデム系統が構成され、テクネチウム９９ｍがタンデム系統の個別の９９ｍＴｃ抽出装置ごとに設定された時間差でもって抽出し、複数の９９ｍＴｃ抽出によって装置全体として診断薬オンデマンドに対応して抽出されること
を特徴とする医療用テクネチウム９９ｍの製造装置。
【請求項７】
９８Ｍｏをターゲット核として含む天然同位体比原料Ｍｏターゲットに、加速器中性子源からの中性子を照射し、９９ｍＴｃの親核種９９Ｍｏを生成させることを含む医療用テクネチウム９９ｍの製造装置において、
１．天然同位体比原料Ｍｏターゲットを、９８Ｍｏを含んで形成されたペレットとし、
２．９８Ｍｏを含んで形成されたペレットに、中性子エネルギーを９８Ｍｏの中性子共鳴吸収帯域内になるように制御された加速器中性子源からの中性子を照射して、９９ｍＴｃの親核種９９Ｍｏを生成し、
３．照射されたペレットを溶解し、生成された親核種９９Ｍｏを精製し、
４．精製された親核種９９Ｍｏから、９９ｍＴｃを抽出することからなるステップを備え、
天然同位体比原料Ｍｏターゲットが、濃縮Ｍｏ同位体ではなく、天然同位体比の９８Ｍｏを含んで形成されたペレットとされ、天然同位体比の９８Ｍｏを含んで形成されたペレットに、中性子エネルギーが中性子共鳴吸収帯域内になるように制御された加速器中性子源からの中性子が当該照射による中性子放射化断面積が増加する条件下で照射されて、９９ｍＴｃの親核種９９Ｍｏが生成され、９９Ｍｏ溶液手段に貯蔵され、
該９９Ｍｏ溶液貯蔵手段に複数個の９９ｍＴｃ抽出装置が接続されてタンデム系統が構成され、テクネチウム９９ｍがタンデム系統の個別の９９ｍＴｃ抽出装置ごとに設定された時間差でもって抽出し、複数の９９ｍＴｃ抽出によって装置全体として診断薬オンデマンドに対応して抽出されること
を特徴とする医療用テクネチウム９９ｍの製造装置。
【請求項８】
請求項６または７に記載された医療用テクネチウム９９ｍの製造装置において、タンデム系統が、９９Ｍｏ溶液貯蔵手段に９９ｍＴｃ抽出装置が複数個接続されたタンデム構成の９９ｍＴｃ抽出系統を備え、取得されたタンデム系統ごとの独立した９９ｍＴｃ抽出指示に基づいて医療用テクネチウム９９ｍが抽出されることを特徴とする医療用テクネチウム９９ｍの製造装置。
【請求項９】
請求項６または７に記載された医療用テクネチウム９９ｍの製造装置において、９９Ｍｏ溶液手段が複数の９９Ｍｏ溶液タンクからなり、複数の９９Ｍｏ溶液タンクにおのおの９９ｍＴｃ抽出装置が接続され、テクネチウム９９ｍが個別の９９ｍＴｃ抽出装置ごとに設定された時間差でもって抽出され、複数の９９ｍＴｃ抽出によって装置全体として診断薬オンデマンドに対応して抽出されることを特徴とする医療用テクネチウム９９ｍの製造装置。
【請求項１０】
請求項６または７に記載された医療用テクネチウム９９ｍの製造装置において、９９Ｍｏ溶液手段が、加速器中性子源からの中性子が照射される第１のペレットに対抗し近接して配置された複数の９９Ｍｏ溶液タンクからなり、該９９Ｍｏ溶液タンクに対抗し近接して第２のペレットが配置され、第２のペレットが第１のペレットに代替され、複数の９９Ｍｏ溶液タンクにおのおの９９ｍＴｃ抽出装置が接続され、テクネチウム９９ｍが個別の９９ｍＴｃ抽出装置ごとに設定された時間差でもって抽出され、複数の９９ｍＴｃ抽出によって装置全体として診断薬オンデマンドに対応して抽出されることを特徴とする医療用テクネチウム９９ｍの製造装置。
【請求項１１】
請求項６または７に記載された医療用テクネチウム９９ｍの製造装置で用いられ、中性子照射装置からの中性子が照射される中性子被照射装置であって、加速器中性子源からの中性子が照射される第１のペレットに対抗し近接して配置された複数の９９Ｍｏ溶液タンクが配置され、該９９Ｍｏ溶液タンクに対抗し近接して第２のペレットが配置され、第２のペレットに対抗し近接してグラファイトが配置され、第２のペレットが第１のペレットに代替され、複数の９９Ｍｏ溶液タンクが中性子照射されることによって９９Ｍｏ減衰が緩和され、複数の９９Ｍｏ溶液タンクからそれぞれ９９Ｍｏ溶液が抽出され、９９Ｍｏ溶液タンクおよび第１、第２のペレットが中性子遮蔽体として作用することを特徴とする中性子被照射装置。
【請求項１２】
請求項１１に記載された中性子被照射装置おいて、第１のペレットを３方から包囲して９９Ｍｏ溶液タンクが配置されることを特徴とする中性子被照射装置。
【発明の詳細な説明】
【技術分野】
【０００１】
本発明は、医療用テクネチウム９９ｍのオンデマンド製造方法とそのシステムに関する。
【背景技術】
【０００２】
特許文献１には、１００Ｍｏを原料ターゲットに、加速器中性子源からの高速中性子を照射し、１個の中性子の吸収により２個の中性子を放出する（ｎ，２ｎ）反応を起させ、９９Ｍｏを生成することが記載されている。
【０００３】
特許文献２には、高純度のモリブデン燒結体を原子炉内で照射して高密度（ｎ，γ）９９Ｍｏを製造することが記載されている。
【０００４】
特許文献３には、高濃度Ｍｏ溶液中の９９Ｔｃおよび９９ｍＴｃを除去して精製処理することが記載されている。
【０００５】
特許文献４には、放射性核種９９Ｍｏおよび９９ｍＴｃを含む高濃度９９Ｍｏを形成し、放射性テクネチウムの濃縮および溶出回収方法が記載されている。
【０００６】
特許文献５には、荷電粒子ビームが照射される板状の金属ターゲットと、冷却水流路とを内部に有し、荷電粒子ビームを金属ターゲットに照射することにより中性子を発生させる加速器中性子源が記載されている。
【０００７】
特許文献６には、PET用放射性核種生成装置が記載されている。
【０００８】
特許文献７には、中性子エネルギーと反応断面積との関係、加速器からの高速中性子を照射して、放射性核種９９Ｍｏを生成すること、ミルキングを行って、９９ｍＴｃを分離することが記載されている。
【０００９】
非特許文献１には、１００Ｍｏ（γ，ｎ）９８Ｍｏを利用して９９Ｍｏ/９９ｍＴｃを製造することが記載されている。
【００１０】
上述した文献に示されるように、原子炉の炉内に金属モリブデンやモリブデン化合物を挿入し、中性子を照射することで放射性核種９９Ｍｏを生成することが知られている。また、天然同位体モリブデンに２４．１％の同位体比率で存在する９８Ｍｏ原子核に中性子を吸収させることで、９８Ｍｏ（ｎ，γ）９９Ｍｏ反応を発生させ、放射性核種９９Ｍｏを生成することが知られている。
【先行技術文献】
【特許文献】
【００１１】
【特許文献１】特開２０１０−２２３９３７号公報
【特許文献２】特開２０１０−１７５４０９号公報
【特許文献３】特開２０１３−１３４０６３号公報
【特許文献４】特許第５４２７４８３号公報
【特許文献５】特開２００６−１９６３５３号公報
【特許文献６】特開２００１−８３２９７号公報
【特許文献７】特開２０１０−２２３９３７号文献
【非特許文献】
【００１２】
【非特許文献１】日本原子力学会「２０１４年春の年会」（２０１４年３月２６日〜２８日）９６頁
【発明の概要】
【発明が解決しようとする課題】
【００１３】
上述した文献に示すように、９８Ｍｏ（ｎ，γ）９９Ｍｏ反応を発生させ、放射性核種９９Ｍｏ製造用ペレット製造技術、Ｍｏペレット中性子照射技術、中性子照射Ｍｏペレット溶解精製技術および天然同位体Ｍｏ―９８Ｍｏ（ｎ，γ）９９Ｍｏからの９９ｍＴｃ抽出技術が知られている。
【００１４】
中性子エネルギーを適度な範囲（０．０１〜４０ｋｅV）に制御することで９８Ｍｏの特異な中性子共鳴吸収特性が利用可能となり、９９Ｍｏ生成量を飛躍的に向上させることができる。原子炉照射の場合は、原子炉を臨界に保つために中性子エネルギーを自由に制御することが困難であり、熱中性子（０．０２５ｅV）を利用した９９Ｍｏの生成となる。一方、加速器中性子源照射の場合は、中性子エネルギーを自由に制御できるため、共鳴中性子（０．０１〜４０ｋｅＶ）を利用した９９Ｍｏの生成が可能となる。９８Ｍｏの特異な中性子共鳴吸収特性を利用すると、９８Ｍｏ（ｎ，γ）９９Ｍｏ反応断面積が熱中性子に比べ５０倍高まる。このことは加速器中性子源照射では、９８Ｍｏの特異な中性子共鳴吸収特性を利用でき、原子炉照射よりも５０倍効率的に９９Ｍｏを生成出来ることになる。従来の技術にあっては、診断薬オンデマンドに対応するというシステムとしての考慮がなされていないために原子炉照射よりも５０倍効率的に９９Ｍｏを生成出来るメリットが診断薬の原料となる９９ｍＴｃの製造に十分反映されているとは言えず、診断薬オンデマンドに対応した効率的な９９ｍＴｃの製造についての提案がなされてこなかった。
【００１５】
本発明は、かかる点に鑑み加速器中性子源照射を用いることで原子炉照射よりも５０倍効率的に９９Ｍｏを生成出来ることのメリットを診断薬の原料となる９９ｍＴｃの製造に十分反映させ、例えば典型的例としての天然同位体比原料Ｍｏを用いて安価にして顧客の診断薬オンデマンド要求に適し、迅速な、効率的な医療用テクネチウム９９ｍの製造方法およびその方法を実行する装置を提案することを目的とする。
【課題を解決するための手段】
【００１６】
本発明は、原料Ｍｏターゲットが、９８Ｍｏを含んで形成されたペレットとされ、９８Ｍｏを含んで形成されたペレットに、中性子エネルギーが中性子共鳴吸収帯域内になるように制御された加速器中性子源からの中性子を当該照射による中性子放射化断面積が増加する条件下で照射して、９９ｍＴｃの親核種９９Ｍｏを生成し、９９Ｍｏ溶液貯蔵手段に貯蔵し、
該９９Ｍｏ溶液貯蔵手段に複数個の９９ｍＴｃ抽出装置が接続されてタンデム系統が構成され、テクネチウム９９ｍをタンデム系統の個別の９９ｍＴｃ抽出装置ごとに設定された時間差でもって抽出し、複数の９９ｍＴｃ抽出によって装置全体として診断薬オンデマンドに対応して抽出すること
を特徴とする医療用テクネチウム９９ｍの製造方法を提供する。
【００１７】
本発明は、９８Ｍｏをターゲット核として含む天然同位体比原料Ｍｏターゲットに、加速器中性子源からの中性子を照射し、９９ｍＴｃの親核種９９Ｍｏを生成させることを含む医療用テクネチウム９９ｍの製造方法において、
１．天然同位体比原料Ｍｏターゲットを、９８Ｍｏを含んで形成されたペレットとし、
２．９８Ｍｏを含んで形成されたペレットに、中性子エネルギーを９８Ｍｏの中性子共鳴吸収帯域内になるように制御された加速器中性子源からの中性子を照射して、９９ｍＴｃの親核種９９Ｍｏを生成し、
３．照射されたペレットを溶解し、生成された親核種９９Ｍｏを精製し、
４．精製された親核種９９Ｍｏから、９９ｍＴｃを抽出することからなるステップを備え、
天然同位体比原料Ｍｏターゲットが、濃縮Ｍｏ同位体ではなく、天然同位体比の９８Ｍｏを含んで形成されたペレットとされ、天然同位体比の９８Ｍｏを含んで形成されたペレットに、中性子エネルギーが中性子共鳴吸収帯域内になるように制御された加速器中性子源からの中性子を当該照射による中性子放射化断面積が増加する条件下で照射して、９９ｍＴｃの親核種９９Ｍｏを生成し、９９Ｍｏ溶液貯蔵手段に貯蔵し、
該９９Ｍｏ溶液貯蔵手段に複数個の９９ｍＴｃ抽出装置が接続されてタンデム系統が構成され、テクネチウム９９ｍをタンデム系統の個別の９９ｍＴｃ抽出装置ごとに設定された時間差でもって抽出し、複数の９９ｍＴｃ抽出によって装置全体として診断薬オンデマンドに対応して抽出すること
を特徴とする医療用テクネチウム９９ｍの製造方法を提供する。
【００１８】
本発明は、上述された医療用テクネチウム９９ｍの製造方法において、タンデム系統が、９９Ｍｏ溶液貯蔵手段に９９ｍＴｃ抽出装置が複数個接続されたタンデム構成の９９ｍＴｃ抽出系統を備え、取得されたタンデム系統ごとの独立した９９ｍＴｃ抽出指示に基づいて医療用テクネチウム９９ｍを抽出することを特徴とする医療用テクネチウム９９ｍの製造方法を提供する。
【００１９】
本発明は、上述された医療用テクネチウム９９ｍの製造方法において、９９Ｍｏ溶液手段が複数の９９Ｍｏ溶液タンクからなり、複数の９９Ｍｏ溶液タンクにおのおの９９ｍＴｃ抽出装置が接続され、テクネチウム９９ｍを個別の９９ｍＴｃ抽出装置ごとに設定された時間差でもって抽出し、複数の９９ｍＴｃ抽出によって装置全体として診断薬オンデマンドに対応して抽出することを特徴とする医療用テクネチウム９９ｍの製造方法を提供する。
【００２０】
本発明は、上述された医療用テクネチウム９９ｍの製造方法において、９９Ｍｏ溶液手段が、加速器中性子源からの中性子が照射される第１のペレットに対抗し近接して配置された複数の９９Ｍｏ溶液タンクからなり、該９９Ｍｏ溶液タンクに対抗し近接して第２のペレットが配置され、第２のペレットが第１のペレットに代替され、複数の９９Ｍｏ溶液タンクにおのおの９９ｍＴｃ抽出装置が接続され、テクネチウム９９ｍを個別の９９ｍＴｃ抽出装置ごとに設定された時間差でもって抽出し、複数の９９ｍＴｃ抽出によって装置全体として診断薬オンデマンドに対応して抽出することを特徴とする医療用テクネチウム９９ｍの製造方法を提供する。
【００２１】
本発明は、原料Ｍｏターゲットが、９８Ｍｏを含んで形成されたペレットとされ、９８Ｍｏを含んで形成されたペレットに、中性子エネルギーが中性子共鳴吸収帯域内になるように制御された加速器中性子源からの中性子が当該照射による中性子放射化断面積を増加する条件下で照射されて、９９ｍＴｃの親核種９９Ｍｏが生成され、９９Ｍｏ溶液手段に貯蔵され、
該９９Ｍｏ溶液貯蔵手段に複数個の９９ｍＴｃ抽出装置が接続されてタンデム系統が構成され、テクネチウム９９ｍがタンデム系統の個別の９９ｍＴｃ抽出装置ごとに設定された時間差でもって抽出し、複数の９９ｍＴｃ抽出によって装置全体として診断薬オンデマンドに対応して抽出されること
を特徴とする医療用テクネチウム９９ｍの製造装置を提供する。
【００２２】
本発明は、９８Ｍｏをターゲット核として含む天然同位体比原料Ｍｏターゲットに、加速器中性子源からの中性子を照射し、９９ｍＴｃの親核種９９Ｍｏを生成させることを含む医療用テクネチウム９９ｍの製造装置において、
１．天然同位体比原料Ｍｏターゲットを、９８Ｍｏを含んで形成されたペレットとし、
２．９８Ｍｏを含んで形成されたペレットに、中性子エネルギーを９８Ｍｏの中性子共鳴吸収帯域内になるように制御された加速器中性子源からの中性子を照射して、９９ｍＴｃの親核種９９Ｍｏを生成し、
３．照射されたペレットを溶解し、生成された親核種９９Ｍｏを精製し、
４．精製された親核種９９Ｍｏから、９９ｍＴｃを抽出することからなるステップを備え、
天然同位体比原料Ｍｏターゲットが、濃縮Ｍｏ同位体ではなく、天然同位体比の９８Ｍｏを含んで形成されたＭｏO3ペレットとされ、天然同位体比の９８Ｍｏを含んで形成されたＭｏO3ペレットに、中性子エネルギーが中性子共鳴吸収帯域内になるように制御された加速器中性子源からの中性子が当該照射による中性子放射化断面積が増加する条件下で照射されて、９９ｍＴｃの親核種９９Ｍｏが生成され、９９Ｍｏ溶液手段に貯蔵され、
該９９Ｍｏ溶液貯蔵手段に複数個の９９ｍＴｃ抽出装置が接続されてタンデム系統が構成され、テクネチウム９９ｍがタンデム系統の個別の９９ｍＴｃ抽出装置ごとに設定された時間差でもって抽出し、複数の９９ｍＴｃ抽出によって装置全体として診断薬オンデマンドに対応して抽出されること
を特徴とする医療用テクネチウム９９ｍの製造装置を提供する。
【００２３】
本発明は、上述された医療用テクネチウム９９ｍの製造装置において、タンデム系統が、９９Ｍｏ溶液貯蔵手段に９９ｍＴｃ抽出装置が複数個接続されたタンデム構成の９９ｍＴｃ抽出系統を備え、取得されたタンデム系統ごとの独立した９９ｍＴｃ抽出指示に基づいて医療用テクネチウム９９ｍが抽出されることを特徴とする医療用テクネチウム９９ｍの製造装置を提供する。
【００２４】
本発明は、上述された医療用テクネチウム９９ｍの製造装置において、９９Ｍｏ溶液手段が複数の９９Ｍｏ溶液タンクからなり、複数の９９Ｍｏ溶液タンクにおのおの９９ｍＴｃ抽出装置が接続され、テクネチウム９９ｍが個別の９９ｍＴｃ抽出装置ごとに設定された時間差でもって抽出され、複数の９９ｍＴｃ抽出によって装置全体として診断薬オンデマンドに対応して抽出されることを特徴とする医療用テクネチウム９９ｍの製造装置を提供する。
【００２５】
本発明は、上述された医療用テクネチウム９９ｍの製造装置において、９９Ｍｏ溶液手段が、加速器中性子源からの中性子が照射される第１のペレットに対抗し近接して配置された複数の９９Ｍｏ溶液タンクからなり、該９９Ｍｏ溶液タンクに対抗し近接して第２のペレットが配置され、第２のペレットが第１のペレットに代替され、複数の９９Ｍｏ溶液タンクにおのおの９９ｍＴｃ抽出装置が接続され、テクネチウム９９ｍが個別の９９ｍＴｃ抽出装置ごとに設定された時間差でもって抽出され、複数の９９ｍＴｃ抽出によって装置全体として診断薬オンデマンドに対応して抽出されることを特徴とする医療用テクネチウム９９ｍの製造装置を提供する。
【００２６】
本発明は、上述された医療用テクネチウム９９ｍの製造装置で用いられ、中性子照射装置からの中性子が照射される中性子被照射装置であって、加速器中性子源からの中性子が照射される第１のペレットに対抗し近接して配置された複数の９９Ｍｏ溶液タンクが配置され、該９９Ｍｏ溶液タンクに対抗し近接して第２のペレットが配置され、第２のペレットに対抗し近接してグラファイトが配置され、第２のペレットが第１のペレットに代替され、複数の９９Ｍｏ溶液タンクが中性子照射されることによって９９Ｍｏ減衰が緩和され、複数の９９Ｍｏ溶液タンクからそれぞれ９９Ｍｏ溶液が抽出され、９９Ｍｏ溶液タンクおよび第１、第２のペレットが中性子遮蔽体として作用することを特徴とする中性子被照射装置を提供する。
【００２７】
本発明は、上述された第１のペレットを３方から包囲して９９Ｍｏ溶液タンクが配置されることを特徴とする中性子被照射装置を提供する。
【発明の効果】
【００２８】
本発明によれば、９９Ｍｏ溶液タンクに９９ｍＴｃ抽出装置が複数個接続され、テクネチウム９９ｍが個別の９９ｍＴｃ抽出装置ごとに設定された時間差でもって抽出されることで、複数接続された９９ｍＴｃ抽出装置全体として医療用の診断薬オンデマンドに対応して抽出されることが可能とされる。加速器中性子源照射を用いることによって、原子炉照射の場合に比べて５０倍効率的に９９ｍＴｃの親核種９９Ｍｏを生成出来、このことによるメリットを診断薬の原料となる９９ｍＴｃのオンデマンド製造に反映され、安価にして顧客からの迅速提供の診断薬オンデマンド要求に適し、効率的な製造、製剤化を可能とする医療用テクネチウム９９ｍの製造方法あるいは/および装置（あるいはシステム）が提案される。
【図面の簡単な説明】
【００２９】
【図１】本発明の実施例の１つの形態を示す図。
【図２】高純度９９ｍＴｃ溶液のオンデマンド製造するための形態を表わす装置および方法を示す図。
【図３】照射用ＭｏO3ペレットの１つの例を示す図。
【図４】照射ターゲットの他の例を示す図。
【図５】Mo照射用加速器中性子源の１つの例を示す図。
【図５（Ａ）】ＭｏO3ペレット照射系の１つの例を示す図。
【図５（Ｂ）】ＭｏO3ペレット照射系の１つの例の配置を示す斜視図。
【図５（Ｃ）】ＭｏO3ペレット照射系の１つの例における中性子束エネルギー分布を示す図。
【図５（Ｄ）】原子炉（軽水炉）炉心における中性子束エネルギー分布を示す図。
【図５（Ｅ）】ＭｏO3ペレット照射系の他の例を示す図。
【図６】９８Ｍｏの中性子吸収断面積を示す図。
【図７】中性子照射Ｍｏペレット溶解装置の例を示す図。
【図８】９９ｍＴｃ抽出装置の例を示す図。
【図９】高純度９９ｍＴｃ溶液の製造ステップをＳ１〜Ｓ７のステップで示す図。
【図１０】医療用テクネチウム９９ｍの製造装置の変形例を示す図。
【図１１】本願発明の第２の実施例の概念を示す図。
【図１２】図１１に示す概念の詳細形態を示す図。
【図１３】本発明実施例を比較例に対比した図。
【発明を実施するための形態】
【００３０】
以下、本発明の実施例を図面に基づいて説明する。
【実施例１】
【００３１】
図１は、本発明の実施例の形態をステップで示す図である。図２は、図１に対応し、高純度９９ｍＴｃ溶液のオンデマンド製造するための形態を表わす方法および装置を示す図である。
【００３２】
図１において、本実施例は、例えば、典型的な例としての、１．天然同位体比原料Ｍｏターゲットを、９８Ｍｏを含んで形成されたペレット製造（ＭｏO3ペレット製造）
２．９８Ｍｏを含んで形成されたペレットに、中性子エネルギーを９８Ｍｏの中性子共鳴吸収帯域内になるように制御された加速器中性子源からの中性子を照射して、９９ｍＴｃの親核種９９Ｍｏを生成（加速器照射９９Ｍｏ製造）
３．照射されたペレットを溶解し、生成された親核種９９Ｍｏを精製（中性子照射Ｍｏペレット溶解・精製）
４．精製された親核種９９Ｍｏから、９９ｍＴｃを抽出（９９ｍＴｃ抽出回収）
からなるステップを備えて構成される。
【００３３】
これらのステップを介することで、以下に説明するタンデム系統で、各高純度９９ｍＴｃ溶液のオンデマンド製造が可能とされ、９９ｍＴｃ製剤化がなされ、病院あるいは核医学センター向けにオンデマンド出荷される。
【００３４】
ここで診断薬オンデマンドに対応してとは、病院あるいは核医学センターなどの注文主からの任意な注文に対応して抽出供給することを可能として、従来のように、診断薬となる９９ｍＴｃ溶液が製造者側の都合によって製造時期が定められるのではなく、注文主の都合に依存して製造時期が定められ、出荷されることに対応することをいう。
【００３５】
ＭｏO3ペレット製造ステップにおいて、原料Ｍｏとして、天然同位体比ＭｏO3高純度粉末が用いられ、プラズマ焼結法によって照射ターゲットであるＭｏO3ペレットが製造される。
【００３６】
図２に示される高純度９９ｍＴｃ溶液のオンデマンド製造するための形態を表わす装置および方法を説明する図である。図２に示される構成を説明する前に理解をし易くするために、本実施例に関連した機器について先に説明する。
【００３７】
図３は、照射用ＭｏO3ペレットの１つの例を示す。照射ＭｏO3ペレットは、例えば典型的に直径１０インチ（２５．４ｃｍ）×厚さ１ｃｍの形状になるように成形され、ペレット内９８Ｍｏの同位体比率は２４．１％である。図３には、一体型ペレットが示してある。
【００３８】
ペレットの形状は、この例に限定されず、小径タイプを並べる方式のものにしてもよいし、厚みや直径を適宜変えてもよい。
【００３９】
図４は、照射ターゲットであるペレットの他の例を示す。この例にあっては、照射ターゲットとしてのペレットの形状は、小径タイプのペレットとされ、各個独立の小径タイプのペレットが多数並べられ、並べられて時に図３に示すペレットと外径、厚みが同じにされる。
【００４０】
図１において、加速器照射９９Ｍｏ製造には、天然Ｍｏ照射用加速器中性子源が用いられ、ＭｏＯ３ペレットに対する熱中性子照射がなされる。この熱中性子照射に際して、加速器中性子源からの中性子は、例えば鉛等、質量数の大きな原子核で構成された減速材によって減速された後、９８Ｍｏ原子核に到達することになる。天然Ｍｏ照射用加速器が放出する中性子のピークエネルギーは約１．９ＭｅＶであり、減速能の小さな減速材を用いた場合、天然Ｍｏ周辺には１．９ＭｅＶから０，０２５ｅＶ（熱中性子）の範囲でフラットなエネルギー分布を有する中性子束が形成される。従って、９８Ｍｏ原子核の共鳴吸収帯を有効利用して９８Ｍｏ（ｎ，γ）９９Ｍｏ反応を発生させることができる。１．９ＭｅＶから０，０２５ｅＶの範囲でフラットなエネルギー分布を有する中性子束に対する９８Ｍｏ（ｎ，γ）９９Ｍｏ反応断面積は６．５バーンズである。一方、０．０２５ｅＶ単色のエネルギー分布を有する中性子束に対する９８Ｍｏ（ｎ，γ）９９Ｍｏ反応断面積は０．１３バーンズである。加速器中性子源からの中性子を減速能の小さな減速材を介して天然Ｍｏに中性子を照射することで、原子炉照射（熱中性子照射）に比較して反応確率を６．５÷０．１３＝５０倍高められることになる。
【００４１】
図５は、Ｍｏ照射用加速器中性子源1８０の１つの例を示す図である。Ｍｏ照射用加速器中性子源1８０は、重陽子イオンビーム１８６を射出する重陽子イオン源（荷電粒子線源）１８８、重陽子イオンビーム１８６を２８８０ｋｅＶまで加速する加速管１８２、加速後の重陽子イオンビーム１８６が衝突するベリリウムターゲット１８３、及び真空容器１９９から構成される。２８８０ｋｅＶまで加速された重陽子ビーム１８６が、ベリリウムターゲット１８３に衝突すると９Ｂｅ（ｄ，ｎ）１０Ｂ反応により中性子が放出される。放出された中性子を照射系１９０にて、減速材を経由してＭｏＯ３ペレットに照射する。重陽子ビーム１８６はベリリウムターゲット１８３にぶつかって停止するため、その運動エネルギーは全てベリリウムターゲット１８３内で熱エネルギーに変換される。ベリリウムターゲット１８３から熱エネルギーを除去するために冷却装置１８４を設ける。冷却装置１８４は軽水で満たされており、軽水を常に循環させることでベリリウムターゲット１８３の温度上昇を抑制する機能を有する。
【００４２】
図５（A）に照射系１９０の構成例を示す。照射系１９０は、ＭｏＯ３ペレット１８５、中性子減速材1８１、中性子遮蔽材１９７よりなる。ベリリウムターゲット１８３から射出された中性子は、中性子減速材１８１を介して拡散しＭｏＯ３ペレット１８５に照射される。中性子減速材１８１に鉛を使った場合、その減速能が小さいためＭｏＯ３ペレット１８５中心部近傍には図５（Ｃ）のエネルギー分布を有する中性子束が形成される。
【００４３】
図５（Ｂ）にＭｏＯ３ペレット１８５の取付構造例を斜視図にて示す。中性子はベリリウムターゲット１８３より発生する。ＭｏＯ３ペレット１８５は可能な限り、この中性子発生源であるベリリウムターゲット１８３の近くに設置する必要があり、図５（Ｂ）に示した例ではベリリウムターゲット冷却装置１８４に密着させ、かつＭｏＯ３ペレット１８５の中心が重陽子ビーム１８６の中心軸の延長線上に重なるように設置している。こんな配置構成をとることで、ベリリウムターゲット１８３内部の中性子束強度を極大化できる。中性子減速材１８１は金属鉛で構成され、ベリリウムターゲット１８３、ベリリウムターゲット冷却装置１８４、及びＭｏＯ３ペレット１８５を包み込むように配置される。図５（Ｂ）には記載していないが、中性子減速１８１を更に包み込むように中性子遮蔽材１９７を設置する。
【００４４】
図５（Ｃ）はＭｏＯ３ペレット１８５中心部付近における中性子束エネルギースペクトルである。図５（Ｃ）から、中性子束のエネルギー分布が０．０２５ｅＶ（熱中性子領域）から１ＭｅＶ（Ｍｏ照射用加速器中性子源１８０の中性子射出エネルギー領域）の領域でほぼフラットになることが分かる。
【００４５】
図５（D）は、原子炉（軽水炉）炉心における中性子束のエネルギー分布を示す図である。原子炉(軽水炉)では、核分裂で発生した高速中性子を減速能の大きな軽水で減速する。少ない衝突回数で中性子を熱化し、一定の核分裂数を維持しないと臨界が継続できないからである。従って、エネルギー分布で見ると０．０１〜４０ｋｅＶのエネルギー領域に存在する中性子の割合が、図５（Ｃ）に示したＭｏ照射用加速器中性子源1８０による中性子束に比べて圧倒的に小さくなることが分かる。原子炉においても、減速能の小さな減速材を適用して減速中性子領域の中性子数割合を増やすことができるが、その場合２３５Ｕの共鳴吸収確率が増大し臨界が維持できなる。この理由により、原子炉（軽水炉）では中性子束エネルギー分布の自由な制御を不可能にする。逆に、加速器中性子源では臨界を維持する必要がないので、任意の減速能を持った減速材を自由に選定できる。この理由により、加速器中性子源では中性子束エネルギー分布の自由な制御が可能となる。
【００４６】
図５（A）の照射系では、０．０１〜４０ｋｅＶのエネルギー領域に存在する中性子の割合が大きくできるので、９８Ｍｏ（ｎ，γ）９９Ｍｏ反応の共鳴吸収ピークを有効利用した９９Ｍｏの生成が可能になる。このような構成によって、放射性核種生成領域における中性子の利用率を向上させる。
【００４７】
図５に示したＭｏ照射用加速器中性子源1８０では、重陽子イオンビーム１８６の電流値を３４０ｍＡ程度にしたとき中性子源強度が８．４×１０１４個／秒となる。本中性子源強度においてＭｏＯ３ペレット１８５の中心近傍における中性子束強度は８．８×１０１２個／ｃｍ２／秒の大きさとなり、この強度はＢＷＲ（沸騰水型軽水炉）炉心内部の中性子束強度と同等以上の値となる。すなわち、図５（B）に示した照射系では、ＭｏＯ３ペレット１８５内に生成される９９Ｍｏの量は、原子炉照射時に比べて５０倍程度多くすることができる。
【００４８】
図６は、９８Ｍｏの中性子吸収断面積を示す図である。
【００４９】
図６から中性子エネルギーが０．０１〜４０ｋeV の領域に９８Ｍｏ中性子共鳴吸ピークが存在することが分かる。従って図５（Ｃ）に示した中性子スペクトルに対する９８Ｍｏ収断面積値は、いわゆる共鳴積分値（Resonance Integral）の６．５バーンズとほぼ等しい値となる。原子炉での熱中性子照射の場合の熱中性子吸収断面積０．１３barn に比べ、共鳴吸収ピークの効果により中性子吸収断面積が著しく高まることが分かる。すなわち、９８Ｍｏの特異な中性子共鳴吸収特性を利用すると、１０１２〜１０１３/ｎ/ｃｍ２/秒程度の中性子束強度による照射であっても、濃縮Ｍｏ同位体ではなく、天然同位体比のＭｏから形成されたＭｏＯ３ペレット１８５内に十分な量と比放射能の９９Ｍｏを生成することが可能となる。
【００５０】
なお、図６中に１００Ｍｏ（ｎ，２ｎ）９９Ｍｏ反応断面積を示している。反応断面積は１０ＭｅＶを超える付近から大きくなるが、１００Ｍｏは同位体比が９．６３％と少なく濃縮プロセスにより同位体比を大きくするステップを踏まないと十分な量の９９Ｍｏを得ることができない。従って、Ｍｏ原料コストが高価になるという欠点がある。
【００５１】
図５（E）は、照射系１９０の変形例を示す図である。複数枚のＭｏＯ３ペレットを同時に照射する構成をとってもよい。図５（A）に示した例では、ＭｏＯ３ペレット１８５内には１００時間の中性子照射で総計約２５００キュリーの９９Ｍｏを生成することができる。図５（E）に示した例では初回の照射では、ＭｏＯ３ペレット１８５内に生成される９９Ｍｏは１００時間照射で２５００キュリーとなり図５の構成と同じ値となる。しかしながら、図５（E）では、その１００時間照射の間に、ＭｏＯ３ペレット１８５Ａ内にも総計約１０００キュリー程度の９９Ｍｏが生成される。次回の照射ではＭｏＯ３ペレット１８５Ａを、ＭｏＯ３ペレット１８５の位置に装填し、未照射のＭｏＯ３ペレットを新たにＭｏＯ３ペレット１８５Ａとして装填する。初回照射から次回照射までの待ち時間を４８時間とすると、次回照射ではＭｏＯ３ペレット１８５内に約６６０キュリーの９９Ｍｏが既に含まれている状態から照射を開始することになる。
【００５２】
図５（E）の構成では、２回目の照射以降では１００時間照射でＭｏＯ３ペレット１８５内に生成できる９９Ｍｏの量は総計約３１００キュリーとなり、９９Ｍｏ生成効率を更に改善することが可能となる。
【００５３】
図１に戻って、中性子照射Ｍｏペレット溶解・精製ステップでは、中性子照射Ｍｏ（９９Ｍｏ）ペレットについてNaOH溶液による溶解、キレート樹脂による精製がなされ、精製Ｍｏ（９９Ｍｏ）溶液が生成される。
【００５４】
図７は、中性子照射Ｍｏペレット溶解装置の例を示す図である。中性子照射Ｍｏペレット溶解装置（照射ＭｏO3溶解槽１８７）内に照射されたＭｏペレット片１８８が投入される。このような状態で、溶解剤としてのNaOH溶液１８６が導入される。NaOHによって中性子の照射されたＭｏペレット片は次第に溶解される。Ｍｏ（９９Ｍｏ）溶液１８９が生成される。更にキレート樹脂精製がなされる。
【００５５】
精製されたＭｏ（９９Ｍｏ）溶液は、９９ｍＴｃ抽出（製造）手段の後述するＭｏタンクに搬入される。
【００５６】
図１に戻って、９９ｍＴｃ抽出回収ステップでは、精製Ｍｏ（９９Ｍｏ）溶液が活性炭カラムを通液され、９９ｍＴｃ吸着回収がなされる。更に、洗浄、NaOH通液がなされ、９９ｍＴｃ溶出回収がなされ、アルミナカラムに移され、回収９９ｍＴｃ精製がなされる。
【００５７】
図８は、９９ｍＴｃ抽出製造装置５１の例を示す図である。図９は、高純度９９ｍＴｃ溶液の製造ステップをＳ１〜Ｓ７のステップで示す図である。
【００５８】
図８、図９において、９９ｍＴｃ抽出製造装置５１は９９Ｍｏ及び９９ｍＴｃから放出される放射線を遮蔽するホットセル内に設置される。９９ｍＴｃ抽出製造装置５１は、Ｍｏ容器（１）５２、Ｍｏ容器（２）５３および制御タンク５４を備える。複数のＭｏ容器を備えるようにしてもよい。Ｍｏ容器（１）５２およびＭｏ容器（２）５５には中性子照射されて９９Ｍｏが生成し含まれるＭｏＯ３をアルカリ（ＮａＯＨ）溶液で溶解して生成されるＮａ２９９ＭｏＯ４溶液が供給される。すなわち、放射性医薬品原料としての放射性核種９９Ｍｏを含んだＭｏ溶液がＭｏ容器（１）５２およびＭｏ容器（２）５３に供給される。９９ＭｏＯ３がアルカリ溶液で溶解されると、図に示すようにｐＨ中性のＮａ２９９ＭｏＯ４溶液が形成される。
【００５９】
生成に際して、放射性９９Ｍｏを含むＭｏ溶液は例えば２L中に５００gのＭｏを含む高い濃度のＭｏ溶液とされる。以下、この溶液を高濃度Ｍｏ溶液という。ここで、高濃度とは、例えば１回５００Ci程度の必要量の９９ｍＴｃを得るために、前述の２L中に５００gのＭｏを含む高濃度Ｍｏ溶液が必要となるための濃度ということである。
【００６０】
Ｍｏ容器（１）５２およびＭｏ容器（２）５３の底部には、それぞれ三方弁５５、５６を備えた配管５７、５８が設けてあり、Ｍｏ容器（１）５２およびＭｏ容器（２）５３は３方弁５５、５６および配管５７、５８更に他の配管５９、６０を介して制御タンク５４の底部に接続されている。配管５７、５８の終端に３方弁６３が備えられる。制御タンク５４は液面調整機構としての機能を備える。制御タンク５４の底部は、さらに配管６４、配管６４に設けた３方弁６５を介してＴｃ濃縮精製回収系６６の一端（図では上面）に接続される。このＴｃ濃縮精製回収系６６は後述するように、活性炭を内蔵した吸着カラムを備える。
【００６１】
Ｔｃ濃縮精製回収系６６の他端（図では下端）には、配管６７およびこれに設けられた３方弁６８が設けられ、配管５７および配管５８の終端に設けた３方弁６３に接続される。Ｍｏ容器（１）５２およびＭｏ容器（２）５３で、高濃度Ｍｏ溶液中で９９mＭｏの娘核種である９９ｍＴｃが生成されて、放射性核種９９Ｍｏおよび９９ｍＴｃを含む高濃度Ｍｏ溶液が形成される。９９Ｍｏを含む新しい高濃度Ｍｏ溶液は交互に、例えば隔週毎にいずれかのＭｏ容器（１）５２およびＭｏ容器（２）５３に入れ替え供給される。
【００６２】
弱いエネルギーのγ線（放射線）を放出するテクネチウム９９（９９ｍＴｃ）はＳＰＥＣＴのような医学診断に使用されるが、半減期が６時間であるため１日で１６分の１にまでその放射能量は減少してしまう。これを補うために９９ｍＴｃの親核種である９９Ｍｏを保有して、そのベータ・マイナス崩壊を起こして生まれる９９ｍＴｃを分離・利用する。このように親核種と娘核種の放射平衡関係を利用して娘核種を得る方法がミルキングと呼ばれる。
【００６３】
ここでは、このように親核種と娘核種の放射平衡関係を利用して娘核種を得る方法をミルキングと称する。また、このミルキングを行うことをミルキング処理と称し、娘核種を含む溶液をミルキング溶液と称する。従って、ここで９９Ｍｏを含む高濃度Ｍｏ溶液とは、上述のように、放射平衡関係を利用して必要量の９９ｍＴｃを得るための９９Ｍｏを含む溶液ということである。
【００６４】
高濃度９９Ｍｏ溶液は、配管５７ならびに配管５８、三方弁６３、配管６７を介してＴｃ濃縮精製回収系６６の下部から活性炭カラムを内蔵するＴｃ濃縮精製回収系６６へ導入される。Ｔｃ濃縮精製回収系６６は、吸着カラムを備え、吸着カラムに活性炭が内蔵されているので、この活性炭に必要量の９９ｍＴｃを含む高濃度９９Ｍｏ溶液を通液することによって、９９ｍＴｃを選択的に吸着させることができる。この工程で９９ｍＴｃの精製、濃縮がなされる。ここで、高濃度Ｍｏ溶液中のＭｏ量（ここでは、５００g）に対する９９Ｍｏ量と９９ｍＴｃ量との関係を示せば次のようである。
【００６５】
９９Ｍｏの半減期：６５．９４ｈ，９９ｍＴｃの半減期：６．０１ｈ
５００Ｃｉ９９Ｍｏ量＝１．０４ｍｇ（５００ｇＭｏに対し１／５０万）
５００Ｃｉ９９ｍＴｃ量＝０．０９５ｍｇ（５００ｇＭｏに対し１／５００万）
９９Ｍｏ ５×１０４Ｂｑ以下の場合、５００ｇＭｏに対し６×１０−１５以下
９９ｍＴｃ ６×１０４Ｂｑ以下の場合、５００ｇＭｏに対し６×１０−１６以下
このように、高濃度Ｍｏ溶液に極わずかに９９ｍＴｃが存在する場合にあっても活性炭によって吸着させることができる。
【００６６】
Ｔｃ濃縮精製回収系６６で吸着されない９９Ｍｏを含む大量のＭｏは、三方弁６５および配管６４を介して、制御タンク５４に、更にはＭｏ容器（１）５２あるいはＭｏ容器（２）５３のいずれかに戻される。毎日９９ｍＴｃ吸着工程が実施され、９９ｍＴｃが回収されたＭｏ溶液は元のＭｏ容器（５２あるいは５３のいずれか）に戻される。この工程の後、Ｔｃ濃縮精製回収系６６に吸着回収された９９ｍＴｃは脱着工程へと移行される。
【００６７】
このように、放射性核種９９Ｍｏを含む高濃度Ｍｏ溶液を、中性子照射したＭｏ化合物（ＭｏＯ３）を直接的にアルカリ溶液で溶解することで９９Ｍｏを含む高濃度Ｍｏ溶液を形成し、複数のＭｏ容器に供給し、これらの複数のＭｏ容器に貯められた高濃度９９Ｍｏ溶液を交互に前記活性炭を収納する吸着カラムに通液してＴｃを吸着濃縮し、しかる後に溶出精製回収することを行う。
【００６８】
三方弁６８には配管８０、三方弁８１を介して外部の供給系８２が接続され、この供給系８２からはＴｃ濃縮精製回収系６６（活性炭カラム）に残存する９９Ｍｏの脱着のための洗浄液およびＴｃ溶出液他が供給され、これらの溶液はＴｃ濃縮精製回収系６６に導入される。
【００６９】
まず、脱着工程において９９Ｍｏ脱着剤が供給系８２から導入され、９９Ｍｏが脱着され、この溶液は洗浄廃液８２へ導出される。次いで、９９Ｍｏ脱着工程が止められ、活性炭に吸着されたＴｃが脱着されるＴｃ脱着工程へと移行する。
【００７０】
Ｔｃ濃縮精製回収系６６は、三方弁６５を介して、配管７３、これに設けた３方弁７４を介して液性調整系７５に接続されている。脱着したＴｃは脱着剤と共に液性調整系７５に導入される。この液性調整系で液性調整用試薬８４が加えられ、液性調整され、更に配管７６を介して２次精製系７７に、更に配管７８を介してＴｃ回収装置７９に接続され、９９ｍＴｃ溶出液として回収される。
【００７１】
このシステムには、図８に示すように、９９Ｍｏ使用後廃液系８０、８１および洗浄廃液系８２が設けられ、各系統は制御系８３によって適宜制御されるようになっている。
【００７２】
以上のようにして、放射性医薬品原料としての放射性核種９９Ｍｏを含む高濃度Ｍｏ溶液を形成し、９９Ｍｏの娘核種である９９ｍＴｃを生成して放射性核種９９Ｍｏおよび９９ｍＴｃを含む高濃度９９Ｍｏ溶液を形成し、
形成した当該高濃度９Ｍｏ溶液を、活性炭を内蔵する吸着カラムへ通液して該活性炭に当該高濃度９９Ｍｏ溶液中の９９ｍＴｃを選択的に吸着させ、９９ｍＴｃを選択的に吸着させた後の高濃度９９Ｍｏを再循環系に導出させ、活性炭に残留する９９ＭｏをＭｏ脱着剤によって脱着除去を行い、活性炭に残留した微量の９９ｍＴｃを活性炭から脱着剤による９９ｍＴｃの脱着処理を行って、９９ｍＴｃを回収し、
回収した９９ｍＴｃ中に僅かに残留する９９Ｍｏをアルミナカラム法によって除去する二次精製を行い、
９９ｍＴｃが吸着処理され、再循環系に導出され、回収された前記高濃度９９Ｍｏ溶液から、再び放射平衡状態まで９９ｍＴｃを生成して、放射性核種９９Ｍｏおよび９９ｍＴｃを含む高濃度９９Ｍｏ溶液を再び形成し、形成した当該高濃度９９Ｍｏ溶液を、再循環して活性炭を内蔵する吸着カラムへ通液して該活性炭に当該高濃度９９Ｍｏ溶液中の９９ｍＴｃを選択的に吸着させることを特徴とする放射性医薬品原料としての９９ｍＴｃの高濃縮および溶出精製回収方法が形成される。
【００７３】
９９ｍＴｃを抽出する方法は、図８に示す方法に限定されず、他の方法によってなされた場合であってもよい。
【００７４】
このようにして、高純度９９ｍＴｃ溶液が製造される。このステップで製造された高純度９９ｍＴｃ溶液を用いて比放射能の低い（ｎ，γ）９９Ｍｏを原料として、高濃度・高純度９９ｍＴｃの抽出、回収がなされる。加速器中性子源照射の場合も同様に、比放射能の低い（ｎ，γ）９９Ｍｏを原料として、高濃度・高純度９９ｍＴｃの抽出、回収を行うことができるため、原子炉照射の場合に比べて格段に制約は少なくなり、製造される高濃度・高純度９９ｍＴｃの量は、従来のように原子炉照射容量に限定されることなく、比較的に自由な任意の大きな量とすることができる。これに伴って、病院あるいは核医学センターなどの多くの注文者からのオンデマンドに対応したオンデマンド製造が可能になって来る。
【００７５】
図２に戻る。図２は、高純度９９ｍＴｃ溶液のオンデマンド製造するための形態を表わす装置および方法を示す図である。図８に示す構成との対応において、図８に示されたＭｏ容器５２、５３が９９Ｍｏ溶液タンク２５に該当し、制御タンク５４が調整タンク２４に対応する。９９ｍＴｃ抽出装置２６は、Ｔｃ濃縮精製回収系６６（活性炭カラム）を包含する。
【００７６】
図２において、本発明の実施例である医療用テクネチウム９９ｍの製造装置１００を示す。医療用テクネチウム９９ｍの製造装置１００は、ＭｏO3ペレット製造のためのＭｏO3ペレット製造装置、加速器照射９９Ｍｏ製造による９９ｍＴｃの親核種９９Ｍｏの製造装置、中性子照射Ｍｏペレット溶解・精製のための親核種９９Ｍｏの溶解、精製装置および９９ｍＴｃ製造装置から構成される。図２に、該９９ｍＴｃ製造装置２６が示される。複数の９９ｍＴｃ製造装置２６に複数の９９ｍＴｃ製剤化装置６がそれぞれ連携される。
【００７７】
ＭｏO3ペレット製造装置において、原料Ｍｏターゲットとして天然同位体比粉末ＭｏO3原料が用いられる。天然同位体比粉末ＭｏO3原料は、９８Ｍｏを含む。９８Ｍｏは、天然Ｍｏに２４．１％含まれ、熱中性子の吸収断面積は０．１３barn、生成９９Ｍｏの半減期は６５．９４ｈである。天然同位体比粉末ＭｏO3原料から９８Ｍｏを含む燒結体のＭｏO3ペレット（以下、ＭｏO3ペレットという）が生成される。ペレット形状にされなくてもよいが、ペレット形状が以後の処理に適しているので、ＭｏO3ペレットを例にして説明する。
【００７８】
生成された９９ｍＴｃの親核種９９Ｍｏを含むペレットは、親核種９９Ｍｏを精製装置で溶解し精製される。すなわち中性子照射Ｍｏペレット溶解装置で中性子照射Ｍｏぺレットの溶解がなされ、９９Ｍｏの精製装置で、溶解された９９Ｍｏの精製がなされ、精製された９９Ｍｏ溶液が生成される。
【００７９】
９９ｍＴｃ製造装置２６は、外側を放射線遮蔽壁１１で囲まれたホットセルとされ、内部がメンテナンスエリア１２と９９ｍＴｃ抽出エリア１３とが区画壁１４によって区画される。
【００８０】
ホットセルの中央部に内部遮蔽壁１５によって包囲された内部ホットセルが形成され、更にその内部が区画壁２１で２つに区画され、一方エリアが９９Ｍｏ充填エリア２２とされ、他方のエリアが９９Ｍｏ溶液保持エリア２３とされる。９９Ｍｏ溶液保持エリア２３の外側に９９ｍＴｃ抽出エリア１３は配置される。すなわち外方側方が複数の９９ｍＴｃ抽出エリア１３とされる。９９Ｍｏ溶液保持エリア２３の下側に形成された下側室４３には電源制御装置４４が配置され、ホットセル内の９９ｍＴｃ抽出装置２６の各種の制御がなされる。
【００８１】
９９Ｍｏ溶液保持エリア２３には、調整タンク２４および複数の９９Ｍｏ溶液タンク２５が配置される。図には２個の９９Ｍｏ溶液タンク２５が配置されている。調整タンク２４および複数の９９Ｍｏ溶液タンク２５は後述されるようにして接続されている。調整タンク２４および複数の９９Ｍｏ溶液タンク２５の双方を集合して９９Ｍｏ溶液内蔵タンクというときがある。
【００８２】
９９ｍＴｃ抽出エリア１３には、複数個の９９ｍＴｃ抽出装置２６、すなわち９９ｍＴｃ溶液製造装置が配置される。図では２個の９９ｍＴｃ抽出装置２６が記載されている。９９ｍＴｃ抽出装置２６は、それぞれ９９Ｍｏ溶液タンク２５に接続される。９９ｍＴｃ抽出の後の溶液は、調整タンク２４へ戻されてもよいし、廃液として回収されてもよい。また、複数個の９９ｍＴｃ抽出装置２６は、接続された９９ｍＴｃ移送手段２７を備え、その外端が９９ｍＴｃ回収ポート２８とされる。各９９Ｍｏ溶液タンク２５および各９９ｍＴｃ抽出装置２６は、タンデム系統とされ、各独立しての操作が可能とされる。
【００８３】
遮蔽壁１１には図の上方に扉３１、図の側方に扉３２、内部遮蔽扉２１には扉３３が形成される。内側遮蔽壁１５に扉３４が設けられる。
【００８４】
メンテナンスエリア１２内には、９９ｍＴｃ抽出装置２６に接続するようにして９９ｍＴｃ抽出装置２６の搬送用のレール３５が配置され、９９ｍＴｃ抽出装置２６をメンテナンスエリア１２に引き出してメンテナンスを行うことが出来る。
【００８５】
親核種９９Ｍｏの溶解、精製装置で生成された９９Ｍｏ溶液は、メンテナンスエリア１２に搬入される。メンテナンスエリア１２に搬入された９９Ｍｏ溶液は、９９Ｍｏ溶液タンク２５への補充充填のために９９Ｍｏ充填エリア２２に搬入４１され、更に複数の９９Ｍｏ溶液タンク２５のいずれかの９９Ｍｏ溶液タンク２５に充填される。
【００８６】
９９Ｍｏ溶液タンク２５に充填された９９Ｍｏ溶液は、コンピュータ制御の下、いずれかの９９ｍＴｃ抽出装置２６に充填される。
【００８７】
この構造によれば、放射能の強い９９Ｍｏ溶液タンク２５、すなわち９９Ｍｏ溶液内蔵タンクが内部遮蔽壁１５によって包囲された内部ホットセル内に配置され、比較的放射能の弱い９９ｍＴｃ抽出装置２６が外側の９９ｍＴｃ抽出エリア１３の放射線遮蔽壁１１で囲まれたホットセル内に配置されることになる。
【００８８】
本実施例では、天然同位体比原料Ｍｏターゲットが、濃縮Ｍｏ同位体ではなく、天然同位体比の９８Ｍｏを含んで形成されたペレットとされ、天然同位体比の９８Ｍｏを含んで形成されたペレットに、中性子エネルギーを９８Ｍｏの中性子共鳴吸収帯域内になるように制御された加速器中性子源からの中性子の照射による中性子放射化断面積が増加する条件下で照射されて、９９ｍＴｃの親核種９９Ｍｏが生成され、９９Ｍｏ溶液タンクに貯蔵される。９９Ｍｏ溶液タンク２５を、図では対にして２個設けてあるが、２個以上であってもよい。９９Ｍｏ溶液内蔵タンクは組にして複数組設けるようにしてもよい。９９Ｍｏ溶液タンク２５の配置は、９９ｍＴｃ抽出装置２６配置に対応する。
【００８９】
この９９Ｍｏ溶液タンク２５ごとに９９ｍＴｃ抽出装置２６が接続される。したがって９９Ｍｏ溶液タンク２５および９９ｍＴｃ抽出装置２６からなる系統が複数個形成される。何個のタンデム系統を形成するかは、診断薬のオンデマンド対応に重要な意味を持つ。２系統であっても多くの場合にオンデマンド要求に対応可能である。
【００９０】
９９Ｍｏ溶液貯蔵手段に９９ｍＴｃ抽出装置が複数個接続されてタンデム構成の９９ｍＴｃ抽出系統が構成され、タンデム毎の独立した９９ｍＴｃ抽出によって装置全体として診断薬オンデマンドに対応して抽出することを特徴とする医療用テクネチウム９９ｍの製造方法あるいは装置が構成される。
【００９１】
このように複数個の９９Ｍｏ溶液タンク２５に複数個９９ｍＴｃ抽出装置２６が個々に接続され、テクネチウム９９ｍが個別の９９ｍＴｃ抽出装置２６ごとに設定された時間差でもって抽出され、複数個接続された９９ｍＴｃ抽出装置全体として診断薬オンデマンド要求に対応して抽出される。
【００９２】
タンデム系統が、９９Ｍｏ溶液貯蔵手段に９９ｍＴｃ抽出装置が複数個接続されたタンデム構成の９９ｍＴｃ抽出系統を備え、取得されたタンデム系統ごとの独立した９９ｍＴｃ抽出指示によって医療用テクネチウム９９ｍが抽出される。
【００９３】
このようにして、複数個の９９ｍＴｃ抽出装置２６は、診断薬となる９９ｍＴｃを、時間をずらして個別に抽出することができる。時間差の幅は、オンデマンドによって設定された時間間隔に対応したものとなる。勿論、複数個の９９ｍＴｃ抽出装置２６は、９９ｍＴｃを、時間をずらすことなく、同時に、しかし個別に抽出することもできる。
【００９４】
図２において、いずれか一方の系統で個別に抽出された９９ｍＴｃは、９９ｍＴｃ製剤化装置に送られ、出荷される。出荷された９９ｍＴｃは、注文主である製薬メーカーあるいは核医学センターに予め定められた手段、方法に従って９９ｍＴｃに半減期を考慮して迅速に送品される。
【００９５】
本実施例によれば、９９Ｍｏ溶液タンクに複数接続された９９ｍＴｃ抽出装置の個別の９９ｍＴｃ抽出装置の９９Ｍｏから９９ｍＴｃが時間をずらして個別に抽出されることで、複数接続された９９ｍＴｃ抽出装置全体として連続して抽出されることを可能とされたシステムが並列したタンデム処理可能な装置、システムとして構成され、原子炉照射よりも５０倍効率的に９９Ｍｏを生成出来ることのメリットが診断薬の原料となる９９ｍＴｃの製造に十分反映され、安価にして顧客のオンデマンド要求に適し、迅速な、効率的な９９ｍＴｃの製造方法およびシステムが提案される。
【００９６】
すなわち、本実施例によれば、医療用テクネチウム９９ｍの製造装置は、原料Ｍｏターゲットが、９８Ｍｏを含んで形成されたペレットとされ、９８Ｍｏを含んで形成されたペレットに、中性子エネルギーが９８Ｍｏの中性子共鳴吸収帯域内になるように制御された加速器中性子源からの中性子が当該照射による中性子放射化断面積を増加する条件下で照射されて、９９ｍＴｃの親核種９９Ｍｏが生成され、９９Ｍｏ溶液手段に貯蔵され、
この９９Ｍｏ溶液貯蔵手段に複数個の９９ｍＴｃ抽出装置が接続されてタンデム系統が構成され、テクネチウム９９ｍがタンデム系統の個別の９９ｍＴｃ抽出装置ごとに設定された時間差でもって抽出し、複数の９９ｍＴｃ抽出によって装置全体として診断薬オンデマンドに対応して抽出されるようにして構成される。
【００９７】
図１０は、医療用テクネチウム９９ｍの製造装置１００の変形例を示す図である。生成された９９ｍＴｃの親核種９９Ｍｏを対とされたＭｏ（９９Ｍｏ）溶液タンク２５に貯蔵し、テクネチウム９９ｍが個別の９９ｍＴｃ抽出装置ごとに設定された時間差でもって抽出され、複数個接続された９９ｍＴｃ抽出装置全体として診断薬オンデマンドに対応して抽出されることの発明思想において上述した医療用テクネチウム９９ｍの製造装置と同じである。図１０にしめされる医療用テクネチウム９９ｍの製造装置１００にあってはＭｏ照射用加速器１８０が一体化され、複数個の９９ｍＴｃ抽出装置２６およびＭｏ（９９Ｍｏ）溶液タンク２５が直線上に並んでいることの特徴がある。この構成によって、医療用テクネチウム９９ｍの製造のための９９Ｍｏ溶液の移動距離は短小化される。
【００９８】
この例の場合、Ｍｏ照射用加速器１８０、Ｍｏ溶解精製装置１８７、Ｍｏ（９９Ｍｏ）溶液タンク２５および９９ｍＴｃ抽出装置２６が連続して接続による一体化がなされて、全体としての医療用テクネチウム９９ｍの製造システム２００が構成される。医療用テクネチウム９９ｍの製造装置１００の構成は、上述した医療用テクネチウム９９ｍの製造装置と実質的に同じである。同じ構成あるいは機能的に同一の部分には同一の番号を付した。それらの説明は、図２およびその他の図についての説明によるものとする。Ｍｏ照射用加速器１８０が横配置される関係で、図１０に示す医療用テクネチウム９９ｍの製造装置１００は横置きとされる。また、Ｍｏ照射用加速器１８０に配置されたホットセルの遮蔽壁１５の周囲には水遮蔽壁９８が設けてある。外部遮蔽壁１１の外側には機械室９９が設置されており、この機械室９９には、加速器電源、冷却水循環装置、換気、排気装置おとび非常用電源が配設される。扉３２は、Ｐｂガラスとされ、扉３２の外側には簡易型マニピュレータが設置される。水遮蔽壁は。ホウ酸含有コンクリートでも代用できる。
【００９９】
Ｍｏ溶解精製装置１８７は、配管で直接的に９９ｍＴｃ抽出装置２６に結ばれるようにしてもよい。
【０１００】
Ｍｏ溶解精製装置１８７が９９Ｍｏ溶液タンク２５の配置された内部ホットセル内に並べて配置され、Ｍｏ溶解精製装置１８７から９９Ｍｏ溶液タンク２５へのＭｏ（９９Ｍｏ）溶液の移送が速やかに実行される。
【０１０１】
Ｍｏ照射用加速器１８０からＭｏ溶解精製装置１８７へのＭｏ（９９Ｍｏ）ペレットの移送は、ペレット着脱・移送装置４１によってなされ、熱中性子照射部分の周囲にはモデレター４２が配置される。
【０１０２】
Ｍｏ溶解精製装置１８７、９９ｍＴｃ抽出装置２６からの廃液、廃棄物は廃液、廃棄物回収系統６１を介してなされる。本例の場合、低コストの天然同位体比原料Ｍｏターゲットを使用するので、廃棄された天然同位体比原料Ｍｏターゲットを使い捨て出来るメリットがある。すなわち、複数回照射による放射化不純物の蓄積を回避することが出来る。
【実施例２】
【０１０３】
図１１および図１２は、本発明の第２の実施例を示す図である。発明の内容は、基本的に第１の実施例に示す発明と同一であり、第１の実施例の説明がそのまま援用される。第１の説明にはない構成並びに第１の構成に比べての利点を中心にして説明する。
【０１０４】
第２の実施例にあっても第１に実施例同様に、９８Ｍｏをターゲット核として含む天然同位体比原料Ｍｏターゲットに、加速器中性子源からの中性子を照射し、９９ｍＴｃの親核種９９Ｍｏを生成させることを含む医療用テクネチウム９９ｍの製造方法であって、
１．天然同位体比原料Ｍｏターゲットを、９８Ｍｏを含んで形成されたペレットとし、
２．９８Ｍｏを含んで形成されたペレットに、中性子エネルギーを９８Ｍｏの中性子共鳴吸収帯域内になるように制御された加速器中性子源からの中性子を照射して、９９ｍＴｃの親核種９９Ｍｏを生成し、
３．照射されたペレットを溶解し、生成された親核種９９Ｍｏを精製し、
４．精製された親核種９９Ｍｏから、９９ｍＴｃを抽出することからなるステップを備える。
【０１０５】
図１１および１２において、本実施例は、中性子照射装置からの中性子が照射される中性子被照射装置であって、加速器中性子源からの中性子が照射される第１のペレットに対抗し近接して配置された複数の９９Ｍｏ溶液タンクが配置され、該９９Ｍｏ溶液タンクに対抗し近接して第２のペレットが配置され、第２のペレットに対抗し近接してグラファイトが配置され、第２のペレットが第１のペレットに代替され、複数の９９Ｍｏ溶液タンクが中性子照射されることによって９９Ｍｏ減衰が緩和され、複数の９９Ｍｏ溶液タンクからそれぞれ９９Ｍｏ溶液が抽出され、９９Ｍｏ溶液タンクおよび第１、第２のペレットが中性子遮蔽体として作用することを特徴とする中性子被照射装置である。この構成において、第１のペレットを３方から包囲して９９Ｍｏ溶液タンクが配置され、９９Ｍｏ溶液タンクがミルキングを行う装置として機能することを特徴とする。以下、説明する。
【０１０６】
図１１は、図１０に示された構成において、中性子照射装置からの中性子が照射される中性子被照射装置の構成が変形された。横配置された中性子照射装置１８０の照射方向である水平方向に中性子被照射装置３００が対抗し近接して配置される。中性子照射装置１８０のペレットに対する照射状況は、図５（A）、（B）、（E）に示す状況と同じである。この例では、ペレット、すなわち第１のペレットに対抗し近接して中性子被照射装置３００は配置される。
【０１０７】
図１２は、中性子被照射装置３００の詳細構成を示す図である。
【０１０８】
図１２において、中性子被照射装置３００は、９９Ｍｏ溶液タンクすなわちＭｏタンク、９８Ｍｏを含んで形成されたペレット、すなわちＭｏペレット、グラファイトとから構成される。図５（A）、（B）、（E）に示されるように、横配置された中性子照射装置１８０の照射方向である水平方向にBe１９１に対抗近接して第１のペレット１９２（図３参照）が配置される。第１のペレットに対抗し近接してＭｏタンク３０１、３０２、３０３が配置される。各Ｍｏタンク３０１、３０２、３０３には、照射されたペレットが溶解されることで形成されたた９８Ｍｏ溶液が収納され、Ｍｏタンク３０１、３０２、３０３は、図１２に示すように第１のペレット１９２を３方から包囲するようにして配置される。図１２には、３つのＭｏタンクが示されているが、２つでもよいし３つでもよく、複数個配置される。各Ｍｏタンクには、９９Ｍｏ溶液抽出のための抽出配管が設置され、９９Ｍｏ溶液抽出が可能とされる。
【０１０９】
このようなＭｏタンク３０１，３０２，３０３に対抗し、近接してＭｏペレット３０４、３０５、３０６がＭｏタンク３０１，３０２，３０３を３方から包囲するようにして配置される。Ｍｏペレット３０４、３０５、３０６は、照射前の製造された直後のＭｏペレットであり、第２のペレットを構成する。これらの第２のペレット３０４、３０５、３０６は、図３に示されるペレットの集合体である。第２のペレット３０４、３０５、３０６は、第１のペレット３０１、３０２，３０３に代替され、第１のペレットとなる。
【０１１０】
第２のペレット３０４，３０５，３０６に対抗し近接し、これらのペレットを３方から包囲するようしてグラファイト３０７，３０８，３０９が配置される。グラファイトは、周知のように中性子の反射材として用いられる。
【０１１１】
図１２に示される各部材の配置によって、中性子被照射装置３００の組み立てが容易になされる。
【０１１２】
この中性子被照射装置３００は、これらの部材を４方から包囲するようにして重コンクリート３１０、３１１，３１２を備える。この場合に、重コンクリート３１１，３１２の一部とＭｏタンク３０２，３０３は、中性子照射孔１９３を形成する。
【０１１３】
加速器中性子源からの中性子が照射される第１のペレットに対抗し近接して配置された複数のＭｏタンク３０１，３０２，３０３が配置され、Ｍｏタンク３０１，３０２，３０３に対抗し近接して第２のＭｏペレット３０４，３０５，３０６が配置され、第２のペレットに対抗し近接してグラファイト３０７，３０８、３０９が配置され、第２のペレットが第１のペレットに代替されるようにして、第１のペレット１９２に中性子照射を行うと、複数のＭｏタンク３０１，３０２，３０３が中性子照射され、このＭｏタンクにおける９９Ｍｏ減衰が緩和され、複数の９９Ｍｏ溶液タンクからそれぞれ緩和された９９Ｍｏ溶液が抽出され、第２のペレットについても中性子の前照射がなされる。このような照射がなされることは、Ｍｏタンクおよび第２のペレットが中性子遮蔽体として作用することになる。
【０１１４】
図１１、図１２に示す例では、重コンクリート３１０、３１１，３１２を包囲材と用いているが、遮蔽壁１５によって代替するようにして、重コンクリートの配置を設けなかったり、軽減したりするようにしてもよい。図１１では、遮蔽壁２１を記載していないが、図１０と同様に遮蔽壁２１を設けておくのがよい。この場合にも扉３３が設けられる。
【０１１５】
製造された親核種９９Ｍｏは、９９Ｍｏ溶液としてタンデム系統ごとに９９ｍＴｃ抽出装置２６に抽出される。この場合に、図１０と比較すると容易に分かるように、Ｍｏタンク３０１，３０２，３０３が中性子照射装置１８０に近接配置され、中性子が照射され、Ｍｏタンクにおける９９Ｍｏ減衰が緩和されている。また、第２のペレットも中性子遮蔽として機能しているばかりでなく、中性子の有効活用が可能とされている。９９Ｍｏ減衰に対して、機能的にも配置的も優れている。
【０１１６】
第２の実施例によれば、第１の実施例と同様に、９９Ｍｏ溶液タンクに９９ｍＴｃ抽出装置が複数個接続され、テクネチウム９９ｍが個別の９９ｍＴｃ抽出装置ごとに設定された時間差でもってタンデム系統ごとに抽出されることで、複数接続された９９ｍＴｃ抽出装置全体として医療用の診断薬オンデマンドに対応して抽出されることが可能とされる。これによって、原子炉照射の場合に比べて５０倍効率的に９９ｍＴｃの親核種９９Ｍｏを生成出来、このことによるメリットを診断薬の原料となる９９ｍＴｃのオンデマンド製造に反映され、安価にして顧客からの迅速提供の診断薬オンデマンド要求に適し、効率的な製造、製剤化を可能とする医療用テクネチウム９９ｍの製造方法あるいは/およびシステムが提案される。更に、上述したように第１の実施例にはない９９Ｍｏ減衰の緩和効果が得られることになる。
図１３は、本実施例１，２を比較例に対比した図である。本実施例は、総合判定、実用性・普及性の観点で他の比較例に比べて格段のメリットを有している。
【符号の説明】
【０１１７】
１…ＭｏＯ３ペレットの製造、２…加速器照射９９Ｍｏ製造、３…加速器照射９９Ｍｏ製造、４…９９ｍＴｃ抽出回収、５…９９ｍＴｃ製造装置、６…９９ｍＴｃ製剤化装置、２５…９９Ｍｏ溶液タンク、２６…９９ｍＴｃ抽出装置、１００…医療用テクネチウム９９ｍの製造装置、２００…医療用テクネチウム９９ｍの製造システム。
【図１】
2016017934.tif 000003
【図２】
2016017934.tif 000004
【図３】
2016017934.tif 000005
【図４】
2016017934.tif 000006
【図５】
2016017934.tif 000007
【図５（Ａ）】
2016017934.tif 000008
【図５（Ｂ）】
2016017934.tif 000009
【図５（Ｃ）】
2016017934.tif 000010
【図５（Ｄ）】
2016017934.tif 000011
【図５（Ｅ）】
2016017934.tif 000012
【図６】
2016017934.tif 000013
【図７】
2016017934.tif 000014
【図８】
2016017934.tif 000015
【図９】
2016017934.tif 000016
【図１０】
2016017934.tif 000017
【図１１】
2016017934.tif 000018
【図１２】
2016017934.tif 000019
【図１３】
2016017934.tif 000020